(57)【要約】【課題】  筐体の厚みを小さくすることを可能とする投写型映像表示装置を提供する。【解決手段】  凹面ミラー１１２は、筐体２００の側面視において、投写ユニット１１０の光軸に対して、DMD７０の反対側に設けられる。筐体２００は、凹面ミラー１１２の仮想延長線によって構成される仮想円の円周上に沿って、凹面ミラー１１２を回動可能に支持する。【選択図】  図３
2012118288.tif 000002
【特許請求の範囲】
【請求項１】
光源、前記光源から出射される光を変調する光変調素子、及び、前記光変調素子から出射される光を投写面上に投写する投写ユニットを収容する筐体を備える投写型映像表示装置であって、
前記投写ユニットは、前記光変調素子から出射される光を前記投写面側に反射する凹面ミラーを有しており、
前記筐体は、前記凹面ミラーの仮想延長線によって構成される仮想円の円周上に沿って、前記凹面ミラーを回動可能に支持することを特徴とする投写型映像表示装置。
【請求項２】
光源、前記光源から出射される光を変調する光変調素子、及び、前記光変調素子から出射される光を投写面上に投写する投写ユニットを収容する筐体を備える投写型映像表示装置であって、
前記投写ユニットは、前記光変調素子から出射される光を前記投写面側に反射する凹面ミラーを有しており、
前記筐体は、前記凹面ミラーの側面を少なくとも被覆しており、前記凹面ミラーを回動可能に支持することを特徴とする投写型映像表示装置。
【請求項３】
前記投写ユニットは、前記凹面ミラーに加えて、前記光変調素子から出射される光を拡大する投写レンズ群を含み、
前記筐体は、前記光源、前記光変調素子及び前記投写レンズ群を収容する第１筐体と、前記凹面ミラーを収容する第２筐体とを含み、
前記第２筐体は、前記凹面ミラーとともに、前記第１筐体によって回動可能に支持されており、
前記凹面ミラーの側面は、前記第１筐体及び前記第２筐体のうち、少なくともいずれか一方の筐体によって被覆されていることを特徴とする請求項２に記載の投写型映像表示装置。
【請求項４】
光源、前記光源から出射される光を変調する光変調素子、及び、前記光変調素子から出射される光を投写面上に投写する投写ユニットを収容する筐体を備える投写型映像表示装置であって、
前記投写ユニットは、前記光変調素子から出射される光を前記投写面側に反射する凹面ミラーを有しており、
前記筐体は、前記凹面ミラーの側面を少なくとも被覆しており、前記筐体の側面視において、前記投写ユニットの光軸に対して垂直な方向に沿って前記凹面ミラーをスライド可能に支持することを特徴とする投写型映像表示装置。
【発明の詳細な説明】
【技術分野】
【０００１】
本発明は、光源、前記光源から出射される光を変調する光変調素子、及び、前記光変調素子から出射される光を投写面上に投写する投写ユニットを収容する筐体を備える投写型映像表示装置に関する。
【背景技術】
【０００２】
従来、光源、光源から出射される光を変調する光変調素子、及び、光変調素子から出射される光を投写面上に投写する投写ユニットを収容する筐体を備える投写型映像表示装置が知られている。
【０００３】
近年、投写型映像表示装置と投写面との距離を短縮するために、投写ユニットに凹面ミラーが配置された投写型映像表示装置が提案されている。
【０００４】
ところで、光変調素子から出射された光を凹面ミラーで反射して、光変調素子から出射された光を投写面上に投写する場合に、光変調素子と凹面ミラーとの間に、ある程度の距離が必要である。
【０００５】
一方で、投写型映像表示装置の小型化が望まれている。小型化を実現する投写型映像表示装置の小型化として、投写ユニットの光軸方向において、凹面ミラーをスライドさせる投写型映像表示装置が提案されている（例えば、特許文献１）。
【先行技術文献】
【特許文献】
【０００６】
【特許文献１】特開２００９−８６３１５号公報
【発明の概要】
【発明が解決しようとする課題】
【０００７】
ところで、投写型映像表示装置の筐体の側面視において、凹面ミラーは、投写ユニットの光軸に対して、光変調素子の反対側に配置される。従って、筐体の側面視において、筐体の厚みが大きくなってしまう。
【０００８】
しかしながら、投写型映像表示装置の持ち運びの観点からは、筐体の厚みは小さい方が好ましい。
【０００９】
そこで、本発明は、上述した課題を解決するためになされたものであり、筐体の厚みを小さくすることを可能とする投写型映像表示装置を提供することを目的とする。
【課題を解決するための手段】
【００１０】
第１の特徴に係る投写型映像表示装置（投写型映像表示装置１００）は、光源（光源１０）、前記光源から出射される光を変調する光変調素子（DMD７０）、及び、前記光変調素子から出射される光を投写面上に投写する投写ユニット（投写ユニット１１０）を収容する筐体（筐体２００）を備える。前記投写ユニットは、前記光変調素子から出射される光を前記投写面側に反射する凹面ミラー（凹面ミラー１１２）を有する。前記筐体は、前記凹面ミラーの仮想延長線によって構成される仮想円の円周上に沿って、前記凹面ミラーを回動可能に支持する。
【００１１】
第２の特徴に係る投写型映像表示装置（投写型映像表示装置１００）は、光源（光源１０）、前記光源から出射される光を変調する光変調素子（DMD７０）、及び、前記光変調素子から出射される光を投写面上に投写する投写ユニット（投写ユニット１１０）を収容する筐体（筐体２００）を備える。前記投写ユニットは、前記光変調素子から出射される光を前記投写面側に反射する凹面ミラー（凹面ミラー１１２）を有する。前記筐体は、前記凹面ミラーの側面を少なくとも被覆しており、前記凹面ミラーを回動可能に支持する。
【００１２】
第２の特徴において、前記投写ユニットは、前記凹面ミラーに加えて、前記光変調素子から出射される光を拡大する投写レンズ群を含む。前記筐体は、前記光源、前記光変調素子及び前記投写レンズ群を収容する第１筐体と、前記凹面ミラーを収容する第２筐体とを含む。前記第２筐体は、前記凹面ミラーとともに、前記第１筐体によって回動可能に支持される。前記凹面ミラーの側面は、前記第１筐体及び前記第２筐体のうち、少なくともいずれか一方の筐体によって被覆されている。
【００１３】
第３の特徴に係る投写型映像表示装置（投写型映像表示装置１００）は、光源（光源１０）、前記光源から出射される光を変調する光変調素子（DMD７０）、及び、前記光変調素子から出射される光を投写面上に投写する投写ユニット（投写ユニット１１０）を収容する筐体（筐体２００）を備える。前記投写ユニットは、前記光変調素子から出射される光を前記投写面側に反射する凹面ミラー（凹面ミラー１１２）を有する。前記筐体は、前記凹面ミラーの側面を少なくとも被覆しており、前記筐体の側面視において、前記投写ユニットの光軸に対して垂直な方向に沿って前記凹面ミラーをスライド可能に支持する。
【発明の効果】
【００１４】
本発明によれば、筐体の厚みを小さくすることを可能とする投写型映像表示装置を提供することができる。
【図面の簡単な説明】
【００１５】
【図１】図１は、第１実施形態に係る投写型映像表示装置１００を示す図である。
【図２】図２は、第１実施形態に係る投写型映像表示装置１００を示す図である。
【図３】図３は、第１実施形態に係る凹面ミラー１１２の回動を示す図である。
【図４】図４は、変更例１に係る凹面ミラー１１２の回動を示す図である。
【図５】図５は、第２実施形態に係る凹面ミラー１１２の回動を示す図である。
【図６】図６は、第３実施形態に係る凹面ミラー１１２のスライドを示す図である。
【図７】図７は、第４実施形態に係る第１収納構成を示す図である。
【図８】図８は、第４実施形態に係る第１収納構成を示す図である。
【発明を実施するための形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［第１実施形態の概要］
第１実施形態に係る投写型映像表示装置は、光源、光源から出射される光を変調する光変調素子、及び、光変調素子から出射される光を投写面上に投写する投写ユニットを収容する筐体を備える。投写ユニットは、光変調素子から出射される光を投写面側に反射する凹面ミラーを有する。筐体は、凹面ミラーの仮想延長線によって構成される仮想円の円周上に沿って、凹面ミラーを回動可能に支持する。
【００１９】
第１実施形態では、筐体は、凹面ミラーの仮想延長線によって構成される仮想円の円周上に沿って、凹面ミラーを回動可能に支持する。従って、仮想円の円周上に沿って凹面ミラーを回動することによって凹面ミラーを収容した際に、筐体の厚みを小さくすることができる。また、仮想円の円周上に沿って凹面ミラーを回動するため、凹面ミラーの回動に伴って生じる位置ズレの影響を軽減することができる。詳細には、凹面ミラーの使用時において凹面ミラーを固定すべき固定位置から凹面ミラーが多少ずれたとしても、凹面ミラーの反射面の位置（傾きなど）が大幅にずれない。従って、凹面ミラーを使用する際に、投写面上に投写される映像の歪みを抑制することができる。
【００２０】
［第１実施形態の詳細］
（投写型映像表示装置の概略構成）
以下において、第１実施形態に係る投写型映像表示装置の概略構成について、図面を参照しながら説明する。図１は、第１実施形態に係る投写型映像表示装置１００（床面投写）を示す図である。
【００２１】
図１に示すように、投写型映像表示装置１００は、筐体２００を有しており、投写面（不図示）に映像を投写する。筐体２００には、後述する投写ユニット１１０から出射される光を透過する透過領域３００が設けられる。
【００２２】
ここで、投写型映像表示装置１００は、床面や机上などの水平面に配置されており、床面や机上などの水平面に設けられる投写面に映像光を投写する。
【００２３】
第１実施形態では、筐体２００は、第１筐体２００Ａ及び第２筐体２００Ｂによって構成される。筐体２００は、底板２１０と、天板２２０と、正面板２３０と、裏面板２４０と、第１側板２５０と、第２側板２６０とを有する。なお、筐体２００は、略直方体の形状を有する。
【００２４】
底板２１０は、筐体２００の設置面と対向しており、第１筐体２００Ａによって形成される。天板２２０は、底板２１０の反対側に設けられており、第２筐体２００Ｂの一部によって形成される。正面板２３０は、透過領域３００を有しており、第１筐体２００Ａ及び第２筐体２００Ｂの一部によって形成される。なお、透過領域３００は、第２筐体２００Ｂに設けられる。裏面板２４０は、正面板２３０の反対側に設けられており、第１筐体２００Ａ及び第２筐体２００Ｂの一部によって形成される。第１側板２５０及び第２側板２６０は、残りの側板であり、第１筐体２００Ａ及び第２筐体２００Ｂの一部によって形成される。
【００２５】
なお、投写型映像表示装置１００のサイズは、２００ｍｌ〜２ｌの容積を有するペットボトル程度である。例えば、投写型映像表示装置１００の容積は、９００ｍｌ程度であり、投写型映像表示装置１００の重量は、８００ｇ程度である。投写型映像表示装置１００によって表示される映像のサイズは、例えば、２０インチ程度である。また、投写型映像表示装置１００と投写面との距離が非常に近いことに留意すべきである。
【００２６】
（投写型映像表示装置の光学構成）
以下において、第１実施形態に係る投写型映像表示装置の光学構成について、図面を参照しながら説明する。図２は、第１実施形態に係る投写型映像表示装置１００の光学構成を主として示す図である。
【００２７】
図２に示すように、投写型映像表示装置１００は、投写ユニット１１０と、照明ユニット１２０と、冷却ファン１３０と、バッテリ１４０と、電源基板１５０と、主制御基板１６０と、操作基板１７０とを有する。また、投写型映像表示装置１００は、DMD７０と、反射プリズム８０とを有する。
【００２８】
投写ユニット１１０は、DMD７０から出射された色成分光（映像光）を投写面に投写する。具体的には、投写ユニット１１０は、投写レンズ群１１１と、凹面ミラー１１２とを有する。
【００２９】
投写レンズ群１１１は、DMD７０から出射された色成分光（映像光）を凹面ミラー１１２側に出射する。投写レンズ群１１１は、投写ユニット１１０の光軸Ｌを中心とする略円形形状のレンズ、投写ユニット１１０の光軸Ｌを中心とする略円形形状の一部分によって構成される形状（例えば、下半分の半円形状）のレンズなどを含む。
【００３０】
なお、投写レンズ群１１１に含まれるレンズの径は、凹面ミラー１１２に近いほど大きいことに留意すべきである。
【００３１】
凹面ミラー１１２は、投写レンズ群１１１から出射された色成分光（映像光）を反射する。凹面ミラー１１２は、映像光を集光した上で、映像光を広角化する。例えば、凹面ミラー１１２は、投写レンズ群１１１側に凹面を有する非球面ミラーである。ここで、凹面ミラー１１２は、投写ユニット１１０の光軸Ｌを中心とする略円形形状の一部分によって構成される形状（例えば、下半分の半円形状）を有する。
【００３２】
凹面ミラー１１２で集光された映像光は、筐体２００に設けられた透過領域３００を透過する。筐体２００に設けられた透過領域３００は、凹面ミラー１１２によって映像光が集光される位置近傍に設けられることが好ましい。透過領域３００は、保護ガラスによって形成されることが好ましい。
【００３３】
照明ユニット１２０は、光源１０と、ダイクロイックプリズム３０と、ロッドインテグレータ４０と、ミラー５１と、ミラー５２と、レンズ６１と、レンズ６２と、レンズ６３とを有する。
【００３４】
光源１０は、複数色の色成分光を個別に出射するように構成される。また、光源１０には、光源１０で生じる熱を放熱するヒートシンクが併設されていてもよい。なお、光源１０は、例えば、光源１０Ｒ、光源１０Ｇ及び光源１０Ｂによって構成される。
【００３５】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｒには、金属などのように放熱性が良好な部材によって構成されるヒートシンクが併設されてもよい。
【００３６】
光源１０Ｇは、緑成分光Ｇを出射する光源であり、例えば、緑ＬＥＤや緑ＬＤである。光源１０Ｇには、金属などのように放熱性が良好な部材によって構成されるヒートシンクが併設されてもよい。
【００３７】
光源１０Ｂは、青成分光Ｂを出射する光源であり、例えば、青ＬＥＤや青ＬＤである。光源１０Ｂには、金属などのように放熱性が良好な部材によって構成されるヒートシンクが併設されてもよい。
【００３８】
ダイクロイックプリズム３０は、光源１０Ｒから出射される赤成分光Ｒ、光源１０Ｇから出射される緑成分光Ｇ、光源１０Ｂから出射される青成分光Ｂを合成する。
【００３９】
ロッドインテグレータ４０は、光入射面と、光出射面と、光入射面の外周から光出射面の外周に亘って設けられる光反射側面とを有する。ロッドインテグレータ４０は、ダイクロイックプリズム３０から出射された色成分光を均一化する。詳細には、ロッドインテグレータ４０は、光反射側面で色成分光を反射することによって、色成分光を均一化する。なお、ロッドインテグレータ４０は、ガラスなどによって構成される中実ロッドであってもよく、ミラー面によって内面が構成される中空ロッドであってもよい。
【００４０】
例えば、第１実施形態では、ロッドインテグレータ４０は、光源１０から出射される光の進行方向に向けて、光の進行方向に垂直な断面が大きくなるテーパ形状を有する。但し、実施形態は、これに限定されるものではない。ロッドインテグレータ４０は、光源１０から出射される光の進行方向に向けて、光の進行方向に垂直な断面が小さくなる逆テーパ形状を有してもよい。
【００４１】
ミラー５１及びミラー５２は、ロッドインテグレータ４０から出射された光をDMD７０に導くために、光の光路を折り曲げる反射ミラーである。
【００４２】
レンズ６１、レンズ６２及びレンズ６３は、光源１０から出射された色成分光の拡大を抑制しながら、色成分光をDMD７０上に略結像するリレーレンズである。
【００４３】
冷却ファン１３０は、筐体２００の外部に連通しており、筐体２００内の熱を放出するように構成される。或いは、冷却ファン１３０は、筐体２００の外部の空気を筐体２００内に送り込むように構成される。例えば、冷却ファン１３０は、光源１０の近傍に設けられており、光源１０を冷却するように構成される。
【００４４】
バッテリ１４０は、投写型映像表示装置１００に供給すべき電力を蓄積する。なお、バッテリ１４０は、筐体２００の重心を安定化するために、最も底板２１０側に配置されることが好ましい。
【００４５】
電源基板１５０は、バッテリ１４０に接続されており、ＡＣ電力をＤＣ電力に変換する電力変換回路を有する。
【００４６】
主制御基板１６０は、投写型映像表示装置１００の動作を制御する主制御回路を有する。
【００４７】
操作基板１７０は、投写型映像表示装置１００に設けられる操作部（ボタンなど）に接続されており、操作部から入力される操作信号を主制御基板１６０（主制御回路）に伝達する。
【００４８】
DMD７０は、複数の微小ミラーによって構成されており、複数の微小ミラーは可動式である。各微小ミラーは、基本的に１画素に相当する。DMD７０は、各微小ミラーの角度を変更することによって、色成分光が有効光として投写ユニット１１０側に導かれるように色成分光を反射するか否かを切り替える。
【００４９】
反射プリズム８０は、照明ユニット１２０から出射される光をDMD７０側に透過する。一方で、反射プリズム８０は、DMD７０から出射される光を投写ユニット１１０側に反射する。
【００５０】
第１実施形態では、第１筐体２００Ａは、光源１０、ダイクロイックプリズム３０、ロッドインテグレータ４０、DMD７０、反射プリズム８０及び投写レンズ群１１１などを収容する。
【００５１】
一方で、第２筐体２００Ｂは、凹面ミラー１１２を収容する。また、第２筐体２００Ｂは、凹面ミラー１１２の側面を少なくとも被覆していることが好ましい。なお、第２筐体２００Ｂは、凹面ミラー１１２の正面、裏面及び上面を被覆していてもよい。
【００５２】
ここで、第１筐体２００Ａには、回動軸４１０が設けられており、第２筐体２００Ｂには、連結アーム４２０が設けられている。連結アーム４２０は、回動軸４１０に固定されている。
【００５３】
このような構成によって、第１筐体２００Ａは、回動軸４１０を中心として、第２筐体２００Ｂを回動可能に支持する。
【００５４】
なお、凹面ミラー１１２は、第２筐体２００Ｂに固定されており、第２筐体２００Ｂの回動とともに、回動軸４１０を中心として回動する。すなわち、第１筐体２００Ａは、回動軸４１０を中心として、凹面ミラー１１２を回動する。
【００５５】
また、第２筐体２００Ｂの回動によって、第１筐体２００Ａ及び第２筐体２００Ｂが干渉しないように、第１筐体２００Ａ及び第２筐体２００Ｂの形状が定められていることは勿論である。例えば、第２筐体２００Ｂの一部によって形成される第１側板２５０及び第２側板２６０は、第１筐体２００Ａの一部によって形成される第１側板２５０及び第２側板２６０の外側に設けられる。或いは、第２筐体２００Ｂの一部によって形成される第１側板２５０及び第２側板２６０は、第１筐体２００Ａの一部によって形成される第１側板２５０及び第２側板２６０の内側に設けられてもよい。
【００５６】
（凹面ミラーの回動）
以下において、第１実施形態に係る凹面ミラーの回動について、図面を参照しながら説明する。図３は、第１実施形態に係る凹面ミラー１１２の回動を示す図である。なお、図３は、投写型映像表示装置１００（筐体２００）の側面視を示す図である。
【００５７】
図３に示すように、凹面ミラー１１２は、投写型映像表示装置１００（筐体２００）の側面視において、投写ユニット１１０（投写レンズ群１１１）の光軸に対して、DMD７０の反対側に設けられる。なお、凹面ミラー１１２の使用時において、凹面ミラー１１２がDMD７０の反対側に設けられていればよいことに留意すべきである。言い換えると、凹面ミラー１１２の収容時において、凹面ミラー１１２がDMD７０の反対側に設けられている必要はない。
【００５８】
ここで、凹面ミラー１１２は、凹面ミラー１１２の仮想延長線によって構成される仮想円Ｘの円周上に沿って回動する。すなわち、回動軸４１０は、仮想円Ｘの略中心Ｏに配置される。また、連結アーム４２０は、凹面ミラー１１２の回動半径を構成する。
【００５９】
このように、筐体２００（第１筐体２００Ａ）は、凹面ミラー１１２の仮想延長線によって構成される仮想円Ｘの円周上に沿って、凹面ミラー１１２を回動可能に支持する。
【００６０】
なお、凹面ミラー１１２の仮想延長線によって構成される仮想円は、必ずしも真円ではなくてもよい。すなわち、仮想円は、楕円であってもよい。また、仮想円が楕円である場合には、連結アーム４２０は、連結アーム４２０に沿って凹面ミラー１１２をスライド可能に支持してもよい。
【００６１】
また、凹面ミラー１１２の使用位置において凹面ミラー１１２を係止する係止機構が設けられていてもよい。係止機構は、例えば、回動軸４１０の回動を規制するストッパー（ギヤなど）である。
【００６２】
（作用及び効果）
第１実施形態では、筐体２００（第１筐体２００Ａ）は、凹面ミラー１１２の仮想延長線によって構成される仮想円の円周上に沿って、凹面ミラー１１２を回動可能に支持する。従って、仮想円の円周上に沿って凹面ミラー１１２を回動することによって凹面ミラー１１２を収容した際に、筐体２００の厚みを小さくすることができる。また、仮想円の円周上に沿って凹面ミラー１１２を回動するため、凹面ミラー１１２の回動に伴って生じる位置ズレの影響を軽減することができる。詳細には、凹面ミラー１１２の使用時において凹面ミラー１１２を固定すべき固定位置から凹面ミラー１１２が多少ずれたとしても、凹面ミラーの反射面の位置が大幅にずれない。従って、凹面ミラー１１２を使用する際に、投写面上に投写される映像の歪みを抑制することができる。
【００６３】
［変更例１］
以下において、第１実施形態の変更例１について説明する。以下においては、第１実施形態に対する差異について主として説明する。
【００６４】
具体的には、第１実施形態では、回動軸４１０が仮想円Ｘの略中心に配置される。これに対して、変更例１では、回動軸４１０は、第１筐体２００Ａと第２筐体２００Ｂとの連結部分に配置される。
【００６５】
（凹面ミラーの回動）
以下において、変更例１に係る凹面ミラーの回動について、図面を参照しながら説明する。図４は、第１実施形態に係る凹面ミラー１１２の回動を示す図である。なお、図４は、投写型映像表示装置１００（筐体２００）の側面視を示す図である。
【００６６】
図４に示すように、回動軸４１０は、裏面板２４０側において、第１筐体２００Ａと第２筐体２００Ｂとの連結部分に配置される。
【００６７】
変更例１では、回動軸４１０の位置と仮想円Ｘの中心Ｏの位置とが異なるため、回動軸４１０を中心として凹面ミラー１１２を単純に回動してしまうと、凹面ミラー１１２が仮想円Ｘの円周上に沿って回動しない。
【００６８】
変更例１では、仮想円Ｘの円周上に沿って凹面ミラー１１２を回動するために、第２筐体２００Ｂは、凹面ミラー１１２をスライド可能に支持するスライド機構４３０を有する。具体的には、凹面ミラー１１２の回動に連動して凹面ミラー１１２がスライドするため、凹面ミラー１１２は、仮想円Ｘの円周上に沿って回動する。
【００６９】
［第２実施形態の概要］
第２の実施形態に係る投写型映像表示装置は、光源、光源から出射される光を変調する光変調素子、及び、光変調素子から出射される光を投写面上に投写する投写ユニットを収容する筐体を備える。投写ユニットは、光変調素子から出射される光を投写面側に反射する凹面ミラーを有する。凹面ミラーは、筐体の側面視において、投写ユニットの光軸に対して、光変調素子の反対側に設けられる。筐体は、凹面ミラーの側面を少なくとも被覆しており、凹面ミラーを回動可能に支持する。
【００７０】
第２実施形態では、筐体は、凹面ミラーの側面を少なくとも被覆しており、凹面ミラーを回動可能に支持する。従って、凹面ミラーを回動することによって凹面ミラーを収容した際に、筐体の厚みを小さくすることができる。また、凹面ミラーの側面が少なくとも筐体によって被覆されているため、ユーザが凹面ミラーに触れることを抑制することができる。これによって、凹面ミラーの使用時において凹面ミラーの位置ズレを抑制することができる。
【００７１】
なお、以下においては、第１実施形態に対する相違点について主として説明する。従って、重複する説明は省略されている。
【００７２】
［第２実施形態の詳細］
（凹面ミラーの回動）
以下において、第２実施形態に係る凹面ミラーの回動について、図面を参照しながら説明する。図５は、第２実施形態に係る凹面ミラー１１２の回動を示す図である。なお、図５は、投写型映像表示装置１００（筐体２００）の側面視を示す図である。
【００７３】
図５に示すように、第２筐体２００Ｂは、第２筐体２００ＢＡ及び第２筐体２００ＢＢを有する。第２筐体２００ＢＡは、正面板２３０側に設けられており、上述した透過領域３００を有する。第２筐体２００ＢＢは、裏面板２４０側に設けられており、上述した凹面ミラー１１２を収容する。
【００７４】
第２実施形態では、第２筐体２００ＢＢは、凹面ミラー１１２の側面を少なくとも被覆する。なお、第２筐体２００ＢＢは、凹面ミラー１１２の裏面、上面及び下面を被覆していてもよい。下面は、第２筐体２００ＢＢの面のうち、底板２１０側に設けられた面である。
【００７５】
回動軸４１０は、天板２２０側において、第２筐体２００ＢＡと第２筐体２００ＢＢとの連結部分に配置される。なお、凹面ミラー１１２の使用位置において凹面ミラー１１２を係止する係止機構が設けられていてもよい。係止機構は、例えば、回動軸４１０の回動を規制するストッパー（ギヤなど）である。
【００７６】
（作用及び効果）
第２実施形態では、筐体２００は、凹面ミラー１１２の側面を少なくとも被覆しており、凹面ミラー１１２を回動可能に支持する。従って、凹面ミラー１１２を回動することによって凹面ミラー１１２を収容した際に、筐体２００の厚みを小さくすることができる。また、凹面ミラーの側面が少なくとも筐体２００（第２筐体２００ＢＢ）によって被覆されているため、ユーザが凹面ミラー１１２に触れることを抑制することができる。これによって、凹面ミラー１１２の使用時において凹面ミラー１１２の位置ズレを抑制することができる。
【００７７】
［第３実施形態の概要］
第３実施形態に係る投写型映像表示装置は、光源、光源から出射される光を変調する光変調素子、及び、光変調素子から出射される光を投写面上に投写する投写ユニットを収容する筐体を備える。投写ユニットは、光変調素子から出射される光を投写面側に反射する凹面ミラーを有する。凹面ミラーは、筐体の側面視において、投写ユニットの光軸に対して、光変調素子の反対側に設けられる。筐体は、凹面ミラーの側面を少なくとも被覆しており、筐体の側面視において、投写ユニットの光軸に対して垂直な方向に沿って凹面ミラーをスライド可能に支持する。
【００７８】
第３実施形態では、筐体は、凹面ミラーの側面を少なくとも被覆しており、筐体の側面視において、投写ユニットの光軸に対して垂直な方向に沿って凹面ミラーをスライド可能に支持する。従って、凹面ミラーをスライドすることによって凹面ミラーを収容した際に、筐体の厚みを小さくすることができる。また、凹面ミラーの側面が少なくとも筐体によって被覆されているため、ユーザが凹面ミラーに触れることを抑制することができる。これによって、凹面ミラーの使用時において凹面ミラーの位置ズレを抑制することができる。
【００７９】
なお、以下においては、第１実施形態に対する相違点について主として説明する。従って、重複する説明は省略されている。
【００８０】
［第３実施形態の詳細］
（凹面ミラーのスライド）
以下において、第３実施形態に係る凹面ミラーのスライドについて、図面を参照しながら説明する。図６は、第２実施形態に係る凹面ミラー１１２のスライドを示す図である。なお、図６は、投写型映像表示装置１００（筐体２００）の側面視を示す図である。
【００８１】
図６に示すように、第１筐体２００Ａは、第２筐体２００Ｂをスライド可能に支持するスライド機構４４０を有する。
【００８２】
スライド機構４４０は、投写型映像表示装置１００（筐体２００）の側面視において、投写ユニット１１０の光軸に対して垂直な方向に沿って凹面ミラー１１２をスライド可能に支持する。なお、凹面ミラー１１２の使用位置において凹面ミラー１１２を係止する係止機構が設けられていてもよい。係止機構は、例えば、第２筐体２００Ｂのスライドを規制するストッパーである。
【００８３】
第２実施形態では、第２筐体２００Ｂは、凹面ミラー１１２の側面を少なくとも被覆する。なお、第２筐体２００Ｂは、凹面ミラー１１２の正面、裏面及び上面を被覆していてもよい。
【００８４】
（作用及び効果）
第３実施形態では、筐体２００は、凹面ミラー１１２の側面を少なくとも被覆しており、筐体２００の側面視において、投写ユニット１１０の光軸に対して垂直な方向に沿って凹面ミラー１１２をスライド可能に支持する。従って、凹面ミラー１１２をスライドすることによって凹面ミラー１１２を収容した際に、筐体２００の厚みを小さくすることができる。また、凹面ミラー１１２の側面が少なくとも筐体２００によって被覆されているため、ユーザが凹面ミラー１１２に触れることを抑制することができる。これによって、凹面ミラー１１２の使用時において凹面ミラー１１２の位置ズレを抑制することができる。
【００８５】
［第４実施形態］
以下において、第４実施形態について説明する。以下においては、第１実施形態に対する相違点について主として説明する。
【００８６】
具体的には、第４実施形態では、凹面ミラー１１２の回動及び凹面ミラー１１２のスライドが組み合わされる。ここでは、凹面ミラー１１２を収納する構成として、２つの構成を例示する。
【００８７】
第４実施形態では、投写型映像表示装置１００は、回動軸４１０と、連結アーム４２０と、スライド機構４５０とを有する。
【００８８】
回動軸４１０は、第２筐体２００Ｂを回動する軸であり、第１筐体２００Ａに設けられている。連結アーム４２０は、第１筐体２００Ａ（回動軸４１０）と第２筐体２００Ｂとを連結する部材である。スライド機構４５０は、連結アーム４２０に沿って第２筐体２００Ｂをスライドする機構である。
【００８９】
（第１収納構成）
以下において、第１収納構成について、図７を参照しながら説明する。図７は、第１収納構成を説明する図である。
【００９０】
なお、第１状態は、凹面ミラー１１２を使用するときの筐体２００の状態を示している。第３状態は、凹面ミラー１１２を収容したときの筐体２００の状態を示している。第２状態は、第１状態と第３状態との間の筐体２００の状態を示している。
【００９１】
図７に示すように、第１状態から第２状態に遷移する際に、第２筐体２００Ｂは、スライド機構４５０によって連結アーム４２０に沿ってスライドする。第２状態から第３状態に遷移する際に、第２筐体２００Ｂは、回動軸４１０を中心として回動する。これによって、凹面ミラー１１２の収容時において、筐体２００の厚みを小さくすることができる。
【００９２】
（第２収納構成）
以下において、第２収納構成について、図８を参照しながら説明する。図８は、第２収納構成を説明する図である。ここで、第２構成例では、凹面ミラー１１２に代えて、凸面ミラー１１３が用いられる。
【００９３】
なお、第１状態は、凹面ミラー１１２を使用するときの筐体２００の状態を示している。第３状態は、凹面ミラー１１２を収容したときの筐体２００の状態を示している。第２状態は、第１状態と第３状態との間の筐体２００の状態を示している。
【００９４】
図８に示すように、第１状態から第２状態に遷移する際に、第２筐体２００Ｂは、スライド機構４５０によって連結アーム４２０に沿ってスライドする。第２状態から第３状態に遷移する際に、第２筐体２００Ｂは、回動軸４１０を中心として回動する。これによって、凹面ミラー１１２の収容時において、筐体２００の厚みを小さくすることができる。
【００９５】
［その他の実施施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９６】
実施形態では、凹面ミラー１１２の側面は、第２筐体２００Ｂによって被覆されるケースについて例示した。しかしながら、実施形態は、これに限定されるものではない。具体的には、凹面ミラー１１２の側面は、第１筐体２００Ａによって被覆されてもよい。このような場合には、凹面ミラー１１２の側面は、必ずしも第２筐体２００Ｂによって被覆されていなくてもよい。
【００９７】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよく、透過型の液晶パネルであってもよい。
【００９８】
実施形態では、光源は、ＬＥＤやＬＤであるケースについて例示した。しかしながら、光源は、ＥＬ（Ｅｌｅｃｔｒｏ  Ｌｕｍｉｎｅｓｃｅｎｃｅ）であってもよい。
【符号の説明】
【００９９】
１０…光源、３０…ダイクロイックプリズム、４０…ロッドインテグレータ、５１…ミラー、５２…ミラー、６１…レンズ、６２…レンズ、６３…レンズ、７０…DMD、８０…反射プリズム、１００…投写型映像表示装置、１１０…投写ユニット、１１１…投写レンズ群、１１２…凹面ミラー、１１３…凸面ミラー、１２０…照明ユニット、１３０…冷却ファン、１４０…バッテリ、１５０…電源基板、１６０…主制御基板、１７０…操作基板、２００…筐体、２００Ａ…第１筐体、２００Ｂ…第２筐体、２１０…底板、２２０…天板、２３０…正面板、２４０…裏面板、２５０…第１側板、２６０…第２側板、３００…透過領域、４１０…回動軸、４２０…連結アーム、４３０…スライド機構、４４０…スライド機構、４５０…スライド機構
【図１】
2012118288.tif 000003
【図２】
2012118288.tif 000004
【図３】
2012118288.tif 000005
【図４】
2012118288.tif 000006
【図５】
2012118288.tif 000007
【図６】
2012118288.tif 000008
【図７】
2012118288.tif 000009
【図８】
2012118288.tif 000010